(57)【要約】【課題】圧縮機の回転数制御を適切に行う空調機を提供することを目的とする。【解決手段】本発明に係る空調機は、圧縮機と、前記圧縮機の回転数を制御する制御部と、前記圧縮機の吐出温度を検出する吐出温度検出部と、被空調空間の室内温度を検出する室内温度検出部とを備える。前記制御部は、前記室内温度検出部が検出した前記室内温度、及び前記吐出温度検出部が検出した前記吐出温度に基づいて、前記圧縮機の回転数を制御するための所定の設定値を変更することを特徴とする。【選択図】図１
2019049365.tif 000002
【特許請求の範囲】
【請求項１】
圧縮機と、
前記圧縮機の回転数を制御する制御部と、
前記圧縮機の吐出温度を検出する吐出温度検出部と、
被空調空間の室内温度を検出する室内温度検出部と
を備えた空調機であって、
前記制御部は、前記室内温度検出部が検出した前記室内温度、及び前記吐出温度検出部が検出した前記吐出温度に基づいて、前記圧縮機の回転数を制御するための所定の設定値を変更する
ことを特徴とする空調機。
【請求項２】
前記設定値は、前記圧縮機の最大回転数を含み、
前記制御部は、前記室内温度検出部が検出した前記室内温度に基づいて、第１吐出閾値温度を導出し、前記吐出温度検出部が検出した前記吐出温度が、前記第１吐出閾値温度以下の場合、前記圧縮機の最大回転数を低下する
ことを特徴とする請求項１に記載の空調機。
【請求項３】
前記設定値は、前記圧縮機の最小回転数を含み、
前記制御部は、前記室内温度検出部が検出した前記室内温度に基づいて、第２吐出閾値温度を導出し、前記吐出温度検出部が検出した前記吐出温度が、前記第２吐出閾値温度以下の場合、前記圧縮機の最小回転数を上昇する
ことを特徴とする請求項１又は請求項２に記載の空調機。
【請求項４】
前記設定値は、前記圧縮機の回転数の最大変化率を含み、
前記制御部は、前記室内温度検出部が検出した前記室内温度に基づいて、第１吐出閾値温度を導出し、前記吐出温度検出部が検出した前記吐出温度が、前記第１吐出閾値温度以下の場合、前記圧縮機の回転数の最大変化率を低下する
ことを特徴とする請求項１から請求項３のいずれか一つに記載の空調機。
【請求項５】
前記設定値は、前記圧縮機の回転数の最小変化率を含み、
前記制御部は、前記室内温度検出部が検出した前記室内温度に基づいて、第２吐出閾値温度を導出し、前記吐出温度検出部が検出した前記吐出温度が、前記第２吐出閾値温度以下の場合、前記圧縮機の回転数の最小変化率を上昇する
ことを特徴とする請求項１から請求項４のいずれか一つに記載の空調機。
【請求項６】
外気温度を検出する外気温度検出部を備え、
前記制御部は、前記外気温度検出部が検出した前記外気温度が、所定値以下の場合、前記圧縮機の回転数を制御するための前記所定の設定値を変更する
ことを特徴とする請求項１から請求項５のいずれか一つに記載の空調機。
【請求項７】
前記圧縮機が圧縮する冷媒は、Ｒ３２又はＲ３２を６５重量％以上含む混合冷媒のいずれかであることを特徴とする請求項１から請求項６のいずれか一つに記載の空調機。
【発明の詳細な説明】
【技術分野】
【０００１】
本発明は、空調機に関する。
【背景技術】
【０００２】
空調機が暖房運転を行う場合、室内熱交換器温度検知装置の検知温度と、圧縮機吐出温度検出装置の検知温度との差異を求め、差異が小さい場合は、圧縮機の最高回転数を低めに設定する空調機が知られている（例えば、特許文献１参照）。
【０００３】
特許文献１に記載の空調機は、当該差異によって圧縮吸入側の湿り状態を判断し、当該差異が小さい場合、すなわち湿り度が大きく、圧縮機に負荷がかかる場合、目標圧縮機最高回転数を低く設定することによって、液圧縮に対する保護制御を行っている。
【先行技術文献】
【特許文献】
【０００４】
【特許文献１】特開２０１０−１５９９３４号公報
【発明の概要】
【発明が解決しようとする課題】
【０００５】
空調機が暖房運転を行っている場合、室内熱交換器は、凝縮器として機能し、室内熱交換器の温度は冷媒の凝縮温度によって決定される。暖房運転の開始時、すなわち立ち上がり時、圧縮機内の冷媒の状態は、液冷媒となる冷媒の寝込み状態となっているため、室内熱交換器内の冷媒の状態も不安定となり、冷媒が二相状態となる領域を含め室内熱交換器において温度の偏りや変動が発生する。従って、特許文献１の空調機は、室内熱交換器内の冷媒の状態に影響を受けるため、圧縮機の回転数制御を適切に行うことが困難であるという問題がある。
【０００６】
本発明は、斯かる事情に鑑みてなされたものであり、圧縮機の回転数制御を適切に行う空調機を提供することを目的とする。
【課題を解決するための手段】
【０００７】
本発明に係る空調機は、圧縮機と、前記圧縮機の回転数を制御する制御部と、前記圧縮機の吐出温度を検出する吐出温度検出部と、被空調空間の室内温度を検出する室内温度検出部とを備えた空調機であって、前記制御部は、前記室内温度検出部が検出した前記室内温度、及び前記吐出温度検出部が検出した前記吐出温度に基づいて、前記圧縮機の回転数を制御するための所定の設定値を変更することを特徴とする。
【発明の効果】
【０００８】
本発明によれば、圧縮機の回転数制御を適切に行う空調機を提供することが可能となる。
【図面の簡単な説明】
【０００９】
【図１】実施形態１に係る空調機の構成を示す模式図である。
【図２】実施形態１に係る空調機の構成を示すブロック図である。
【図３】圧縮機の最大回転数及び最小回転数の制御に関する説明図である。
【図４】圧縮機の回転数の最大変化率及び最小変化率の制御に関する説明図である。
【図５】実施形態１（最大回転数）に係る処理手順を示すフローチャートである。
【図６】実施形態２（最小回転数）に係る処理手順を示すフローチャートである。
【図７】実施形態３（外気温度）に係る処理手順を示すフローチャートである。
【図８】実施形態４（最大変化率）に係る処理手順を示すフローチャートである。
【図９】実施形態５（最小変化率）に係る処理手順を示すフローチャートである。
【発明を実施するための形態】
【００１０】
（実施形態１）
以下、本発明をその実施形態を示す図面に基づいて詳述する。図１は、実施形態１に係る空調機１の構成を示す模式図である。実施形態１に係る空調機１は、室外機２、室内機３、該室外機２と該室内機３とを接続し冷媒が循環する冷媒回路を構成するための冷媒配管１０、及び空調機１の運転操作を行うリモコン４を備える。このように、空調機１は室内機３と室外機２とからなるセパレート型空調機である。
【００１１】
室外機２は、冷媒を圧縮する圧縮機２１、圧縮機２１の吐出管と接続され冷媒の経路を切り換える四路切換弁２３、外気と熱交換を行う室外熱交換器２４、冷媒を減圧する膨張弁２５、圧縮機２１の吸入管と接続され冷媒の気液分離を行うアキュムレータ２２、及び室外熱交換器２４に外気を送風する室外ファン２６を備える。
【００１２】
圧縮機２１は、インバータによって圧縮機２１のモータの回転数を制御するようにしてあり、冷媒循環量を増減することができる容量可変型の圧縮機２１であり、例えば  ロータリー型又はスクロール型である。圧縮機２１によって圧縮される冷媒は、例えば、Ｒ３２又はＲ３２を６５重量％以上含む混合冷媒を含む。Ｒ３２又はＲ３２を６５重量％以上含む混合冷媒を用いることによって、低ＧＷＰ（Global Warming Potential）に寄与する空調機を提供することができる。
【００１３】
圧縮機２１の吐出管、すなわち圧縮機２１の吐出ポートと四路切換弁２３とを接続する配管には、圧縮機２１が吐出した冷媒の温度を検知する吐出温度センサ２１２が、配置してある。又は、吐出温度センサ２１２は、圧縮機２１に内蔵され、吐出ポートから吐出される冷媒の温度を検知するように配置してあってもよい。
【００１４】
膨張弁２５は、ステッピングモータによって弁開度を制御するようにしてある電動弁である。室外ファン２６は、例えばＤＣモータによって回転駆動するプロペラファンである。
【００１５】
室外熱交換器２４の風上側には、外気温度センサ２４１が配置してあり、室外熱交換器２４を通過する前の外気の温度（外気温度）を検知する。アキュムレータ２２と四路切換弁２３とを接続する配管又は圧縮機２１の吸入管には、圧縮機２１に吸入される冷媒の温度を検知する吸入温度センサ２１１が、配置してある。
【００１６】
室外機２は、室外制御基板２７を備え、室外制御基板２７は、圧縮機２１、室外ファン２６、四路切換弁２３及び膨張弁２５と電気的に接続してあり、圧縮機２１、室外ファン２６、四路切換弁２３及び膨張弁２５の駆動制御及び駆動状態の検知を行う。また、室外制御基板２７は、外気温度センサ２４１、吸入温度センサ２１１及び吐出温度センサ２１２と電気的に接続してあり、夫々のセンサが検知し出力した値を取得する。また、室外制御基板２７は、後述する室内制御基板３６と通信可能に接続してあり、室内制御基板３６と協働して、空調機１の全体の制御を行う。
【００１７】
室内機３は、室内の空気と熱交換を行う室内熱交換器３１、室内熱交換器３１に室内の空気を送風する室内ファン３４、及び室内ファン３４で送風した空気の吹き出し方向を定める風向板３５を備える。室内ファン３４は、例えばＤＣモータによって回転駆動するクロスフローファンである。なお、室内ファン３４は、プロペラファン、ターボファン又はシロッコファンであってもよい。
【００１８】
室内熱交換器３１は、クロスフィン式のフィン・アンド・チューブ型熱交換器であって、フィン（図示せず）及びフィンを貫通して設けられた伝熱管３１２を備える。伝熱管３１２は、室内熱交換器３１内において複数回往復し、分岐管（図示せず）によって分岐することによって、伝熱管３１２の管長、すなわち有効長を長くするようにしてある。伝熱管３１２又は分岐管３１３には、室内熱交換器３１の温度を検知するための室内熱交換器温度センサ３１１が、配置してある。室内熱交換器３１の風上側、すなわち空気の吸い込み側には、室内の空気の温度を検知する吸込空気温度センサ３２、及び当該空気の湿度（相対湿度）を検知する吸込空気湿度センサ３３が配置されている。
【００１９】
室内機３は、室内制御基板３６を備え、室内制御基板３６は、室内ファン３４及び風向板３５と電気的に接続してあり、室内ファン３４及び風向板３５の駆動制御及び駆動状態の検知を行う。室内制御基板３６は、室内熱交換器温度センサ３１１、吸込空気温度センサ３２及び吸込空気湿度センサ３３と電気的に接続してあり、夫々のセンサが検知し出力した値を取得する。室内制御基板３６は、リモコン４からの空調機１の運転操作を受け付ける受付部（図示せず）と電気的に接続してあり、受け付けた運転操作に関する情報に基づいて、室外制御基板２７と通信を行い、空調機１の制御を行う。
【００２０】
リモコン４は、受付部を介して室内機３と通信可能に接続してあり、入力部（図示せず）、表示部（図示せず）、リモコン内基板４１及び、リモコン４の周辺空気すなわち披空調空間である室内の空気の温度を取得するリモコン内温度センサ４２を備える。
【００２１】
室外機２と室内機３とは、冷媒配管１０によって接続され、冷媒が循環する冷媒回路が、構成される。図１に示す如く、冷房運転時、四路切換弁２３は実線のとおり切り換えてあり、圧縮機２１、四路切換弁２３、室外熱交換器２４、膨張弁２５、室内熱交換器３１、四路切換弁２３、及びアキュムレータ２２の順で接続され、室外熱交換器２４は凝縮器、室内熱交換器３１は蒸発器として機能する。
【００２２】
暖房運転時、四路切換弁２３は破線のとおり切り換えてあり、圧縮機２１、四路切換弁２３、室内熱交換器３１、膨張弁２５、室外熱交換器２４、及びアキュムレータ２２の順で接続され、室外熱交換器２４は蒸発器、室内熱交換器３１は凝縮器として機能する。従って、冷房運転時は、冷媒は、膨張弁２５が接続されている冷媒配管１０側の伝熱管３１２を入口として室内熱交換器３１に流入し、四路切換弁２３が接続されている冷媒配管１０側の伝熱管３１２を出口として室内熱交換器３１から流出する。暖房運転時は、冷媒は、四路切換弁２３が接続されている冷媒配管１０側の伝熱管３１２を入口として室内熱交換器３１に流入し、膨張弁２５が接続されている冷媒配管１０側の伝熱管３１２を出口として室内熱交換器３１から流出する。
【００２３】
図２は、実施形態１に係る空調機１の構成を示すブロック図である。空調機１は、圧縮機２１の回転数の制御を行う制御部５０、及び当該制御を行うために必要なプログラム５１Ｐとデータを記憶する記憶部５１を備える。
【００２４】
制御部５０は、ＣＰＵ（Central Processing Unit）又はＭＰＵ（Micro Processing Unit）等により構成してあり、記憶部５１に予め記憶されたプログラム５１Ｐ及びデータを読み出して実行することにより、種々の制御処理及び演算処理等を行う。制御部５０は、内蔵されているクロック等又は通信可能に接続してある時計部（図示せず）と連携することにより、計時機能を有する。ＣＰＵ等は、室外制御基板２７、室内制御基板３６又はリモコン４内制御基板のいずれかの基板上に実装してある。又は、夫々の基板に実装されているＣＰＵ等が相互に通信し協働して、制御部５０として機能するように構成してあってもよい。又は、制御部５０は、図示しない外部ネットワークに、空調機１と通信可能に接続された制御サーバ上に実装してあってもよい。
【００２５】
記憶部５１は、ＲＯＭ（Read Only Memory）、ＥＥＰＲＯＭ（Electrically Erasable Programmable ROM）又はフラッシュメモリ等の不揮発性のメモリ素子により構成してあり、ＣＰＵ等と同様に室外制御基板２７、室内制御基板３６又はリモコン４内制御基板のいずれかの基板上に実装してある。
【００２６】
制御部５０は、外気温度センサ２４１、吸入温度センサ２１１、吐出温度センサ２１２、室内熱交換器温度センサ３１１、吸込空気温度センサ３２、及び吸込空気湿度センサ３３と電気的に接続してあり、各センサが検知し出力した値を取得する。制御部５０は、リモコン４と通信可能に接続してあり、リモコン４から送信された運転操作に関する情報、及びリモコン内温度センサ４２が検知した温度に関する情報を受付け、当該情報に基づき空調機１の全体の制御を行う。
【００２７】
制御部５０は、圧縮機２１、膨張弁２５、室内ファン３４、室外ファン２６、四路切換弁２３及び風向板３５と電気的に接続してあり、これらアクチュエータの駆動制御、及び駆動状態の検知を行う。従って、制御部５０は、圧縮機２１の回転数、膨張弁２５の開度、室内ファン３４及び室外ファン２６の回転数、四路切換弁２３の切換状態、及び風向板３５の方向等を含む空調機１の運転に関する運転情報を取得する取得部として機能する。
【００２８】
空調機１は、吐出温度検出部、室内温度検出部及び外気温度検出部を備える。吐出温度検出部は、圧縮機２１によって圧縮され吐出された冷媒の温度を検出する機能を有し、圧縮機２１の吐出管に配置された吐出温度センサ２１２を含む。室内温度検出部は、室内機３が載置された披空調空間の空気の温度を検出する機能を有し、室内機３に配置された吸込空気温度センサ３２、リモコン内に配置されたリモコン内温度センサ４２又は被空調空間内に設けられ制御部５０と通信可能に接続された温度センサ（図示せず）を含む。外気温度検出部は、室外機２が載置された空間の気温、すなわち外気温度を検出する機能を有し、室外熱交換器２４の風上側に配置された外気温度センサ２４１を含む。なお、リモコン内温度センサ４２は無くてもよい。
【００２９】
制御部５０は、空調負荷に応じて、圧縮機２１の回転数の制御を行う。空調負荷とは、被空調空間に対し必要な空調を行うために負荷であり、運転条件、被空調空間の室温及び外気温度等によって決定される。運転条件は、例えば、暖房及び冷媒等の運転モード、室内ファンの回転数（室内に供給する風量）、又は被空調空間の目標温度を定める設定温度を含む。制御部５０は、空調負荷に応じて、圧縮機２１の回転数及び、室内ファン３４、室外ファン２６、膨張弁２５等のアクチュエータを制御し、空調機１が必要な能力を発揮できるようにしてある。
【００３０】
図３は、圧縮機２１の最大回転数及び最小回転数の制御に関する説明図である。図４は、圧縮機２１の回転数の最大変化率及び最小変化率の制御に関する説明図である。制御部５０は、圧縮機２１の回転数を制御するにあたり、圧縮機２１の保護のため、最大回転数及び最小回転数を設定してある。制御部５０は、例えば、単位時間として１分等の所定時間内における回転数の変化率の最大値（最大変化率）、最小値（最小変化率）を設定し、回転数が、急激に変化しないようにして、圧縮機２１に過度なストレスが、かからないようにしている。
【００３１】
最大回転数、最小回転数、回転数の最大変化率及び最小変化率は、運転条件に基づいて、各々設定してあり、制御部５０が空調負荷に応じて圧縮機２１の回転数の制御を適切に行うようにしてある。これら最大回転数、最小回転数、回転数の最大変化率及び最小変化率の最小値は、記憶部５１に記憶してある。
【００３２】
外気温度が低い状態で、暖房運転を開始する場合、圧縮機２１内にある冷媒は、液冷媒となっている冷媒の寝込み状態となっている。寝込み状態の場合、圧縮機内のオイルが液冷媒により希釈される。そのため、オイルの潤滑性が低下し、その状態で高速回転すると内部部品が摩耗し圧縮機故障の原因となる。また、液冷媒を圧縮する場合、圧縮機２１にかかる負荷が大きくなる。そのため、制御部５０は、最大回転数及び回転数の最大変化率を低下させ、圧縮機２１を保護するようにしてある。液冷媒を圧縮する場合、圧縮機２１の回転トルクが不足すると、脱調することがあるため、制御部５０は、最小回転数及び回転数の最小変化率を上昇させ、必要な回転トルクを発揮できるようにしてある。
【００３３】
制御部５０は、室内温度検出部が検出した室内温度、吐出温度検出部が検出した吐出温度を取得し、図３及び図４に示すごとく、圧縮機２１の回転数の制御を適切に行うため、最大回転数、最小回転数、回転数の最大変化率及び最小変化率の変更を行う。
【００３４】
制御部５０は、圧縮機２１の最大回転数を低下させるか否かの判定を、取得した室内温度（Ｔｉｎ）及び吐出温度（Ｔｄ）に基づいて行う。制御部５０は、室内温度に基づいて、第１吐出閾値温度を導出する。第１吐出閾値温度の導出は、例えば、室内温度に、圧縮機２１の機種特性等から決定される所定の温度（Ｔｄｏｗｎ、以降、第１所定温度とする）を加算（第１吐出閾値温度＝第１所定温度＋室内温度）して行う。
【００３５】
制御部５０は、導出した第１吐出閾値温度と、吐出温度とを比較し、吐出温度が第１吐出閾値温度以下の場合は、圧縮機２１の最大回転数を低下させる。従って、同一の運転条件下において、吐出温度が第１吐出閾値温度以下の場合の圧縮機２１の最大回転数は、吐出温度が第１吐出閾値温度よりも大きい場合の圧縮機２１の最大回転数より、低くなるようにしてある。
【００３６】
室内温度は、空調機１の暖房運転を開始した直後は室内熱交換器３１の温度と同等とみなすことができ、空調機１の暖房運転が開始され所定期間が経過した後は室内熱交換器３１の温度との相関関係を有し、空調機１の運転状態を把握するための入力因子とすることができる。従って、吐出温度が第１吐出閾値温度以下（吐出温度≦第１吐出閾値温度）の場合、制御部５０は、圧縮機２１内の冷媒の湿り度が高いと判定し、圧縮機２１の最大回転数を低くして、潤滑不良や液圧縮による過度な負荷から圧縮機２１を保護するようにしてある。従って、冷媒の状態によって温度分布に偏りが発生する室内熱交換器３１の温度の影響を受けることなく、吐出温度と、室内温度に基づいて導出した第１吐出閾値温度とを比較することによって、圧縮機２１の回転数の制御を適切に行うことができる。
【００３７】
この判定は、吐出温度から室内温度を減算した差異温度と、第１所定温度とを比較することによって行ってもよい。上述のとおり、吐出温度が、室内温度と第１所定温度を加算して導出した第１吐出閾値温度以下である場合（吐出温度≦第１所定温度＋室内温度）は、吐出温度から室内温度を減算した差異温度が、第１所定温度以下である場合（吐出温度−室内温度≦第１所定温度）と等価である。吐出温度から室内温度を減算した差異温度は、吐出温度から、暖房運転時の室内熱交換器３１の温度、すなわち冷媒の凝縮温度を減算した吐出加熱度と相関関係を有する。従って、冷媒の状態によって温度分布に偏りが発生する室内熱交換器３１の温度の影響を受けることなく、吐出温度と室内温度との差異温度と、圧縮機２１の機種特性によって決定される第１所定温度とを比較することによって、圧縮機２１の回転数の制御を適切に行うことができる。
【００３８】
第１吐出閾値温度は、第１所定温度に室内温度を加算して導出するとしたが、これに限定されない。室内温度の数値夫々に対応して、第１吐出閾値温度の数値夫々を決定し、室内温度の数値と第１吐出閾値温度の数値との対応関係を、例えばテーブル表に登録し、記憶部５１に記憶してもよい。吐出温度から室内温度を減算した差異温度と、第１所定温度とを比較して判定するとしたが、これに限定されない。吐出温度及び室内温度の夫々の数値の組合せからなるマトリックス表において、個々の組合せにおける圧縮機２１の回転数の最大回転数の低下の要否を登録し、記憶部５１に記憶してあってもよい。
【００３９】
制御部５０は、圧縮機２１の最小回転数を上昇させる否かの判定を、取得した室内温度（Ｔｉｎ）及び吐出温度（Ｔｄ）に基づいて行う。制御部５０は、室内温度に基づいて、第２吐出閾値温度を導出する。第２吐出閾値温度の導出は、例えば、室内温度に、圧縮機２１の機種特性等から決定される所定の温度（Ｔｕｐ、以降、第２所定温度とする）を加算（第２吐出閾値温度＝第２所定温度＋室内温度）して行う。
【００４０】
制御部５０は、導出した第２吐出閾値温度と、吐出温度とを比較し、吐出温度が第２吐出閾値温度以下の場合は、圧縮機２１の最小回転数を上昇させる。従って、同一の運転条件下において、吐出温度が第２吐出閾値温度以下の場合の圧縮機２１の最小回転数は、吐出温度が第２吐出閾値温度よりも大きい場合の圧縮機２１の最小回転数より、高くなるようにしてある。
【００４１】
室内温度は、空調機１の暖房運転を開始した直後は室内熱交換器３１の温度と同等とみなすことができ、空調機１の暖房運転が開始され所定期間が経過した後は、室内熱交換器３１の温度との相関関係を有し、空調機１の運転状態を把握するための入力因子とすることができる。吐出温度が第２吐出閾値温度以下の場合（吐出温度≦第２吐出閾値温度）、制御部５０は、圧縮機２１内の冷媒の湿り度が高いと判定し、圧縮機２１の最小回転数を高くして、液圧縮に対応するための必要な回転トルクを発揮させ、脱調の発生を防止するようにしてある。従って、冷媒の状態によって温度分布に偏りが発生する室内熱交換器３１の温度の影響を受けることなく、吐出温度と、室内温度に基づいて導出した第２吐出閾値温度とを比較することによって、圧縮機２１の回転数の制御を適切に行うことができる。
【００４２】
この判定は、吐出温度から室内温度を減算した差異温度と、第２所定温度とを比較することによって行ってもよい。上述のとおり、吐出温度が、室内温度と第２所定温度を加算して導出した第２吐出閾値温度以下である場合（吐出温度≦第２所定温度＋室内温度）は、吐出温度から室内温度を減算した差異温度が、第２所定温度以下である場合（吐出温度−室内温度≦第２所定温度）と等価である。従って、冷媒の状態によって温度分布に偏りが発生する室内熱交換器３１の温度の影響を受けることなく、吐出温度と室内温度との差異温度と、圧縮機２１の機種特性によって決定される第２所定温度とを比較することによって、圧縮機２１の回転数の制御を適切に行うことができる。
【００４３】
第２吐出閾値温度は、第２所定温度に室内温度を加算して導出するとしたが、これに限定されない。室内温度の数値夫々に対応して、第２吐出閾値温度の数値夫々を決定し、室内温度の数値と第２吐出閾値温度の数値との対応関係を、例えばテーブル表に登録し、記憶部５１に記憶してもよい。吐出温度から室内温度を減算した差異温度と、第２所定温度とを比較して判定するとしたが、これに限定されない。吐出温度及び室内温度の夫々の数値の組合せからなるマトリックス表において、個々の組合せにおける圧縮機２１の回転数の最小回転数の上昇の要否を登録し、記憶部５１に記憶してあってもよい。
【００４４】
図４に示すごとく、制御部５０は、吐出温度及び室内温度に基づいて、圧縮機２１の回転数の最大変化率の低下、又は最小変化率の上昇を行う。制御部５０は、圧縮機２１の回転数の最大変化率を低下させるか否かの判定を、取得した室内温度（Ｔｉｎ）及び吐出温度（Ｔｄ）に基づいて行う。制御部５０は、室内温度に基づいて、第１吐出閾値温度を導出する。第１吐出閾値温度の導出は、例えば、室内温度に、圧縮機２１の機種特性等から決定される第１所定温度（Ｔｄｏｗｎ）を加算して行う。
【００４５】
制御部５０は、導出した第１吐出閾値温度と、吐出温度とを比較し、吐出温度が第１吐出閾値温度以下の場合は、圧縮機２１の回転数の最大変化率を低下させる。従って、同一の運転条件下において、吐出温度が第１吐出閾値温度以下の場合の圧縮機２１の回転数の最大変化率は、吐出温度が第１吐出閾値温度よりも大きい場合の圧縮機２１の回転数の最大変化率より、低くなるようにしてある。吐出温度が第１吐出閾値温度以下の場合（吐出温度≦第１吐出閾値温度）、制御部５０は、圧縮機２１内の冷媒の湿り度が高いと判定し、圧縮機２１の回転数の最大変化率を低下させる。従って、回転数の急激な変更を抑制して液圧縮による過度な負荷から圧縮機２１を保護することができる。圧縮機の最大回転数の制御と同様に、この判定を吐出温度から室内温度を減算した差異温度と、第１所定温度とを比較することによって行ってもよい。
【００４６】
制御部５０は、圧縮機２１の回転数の最小変化率を上昇させるか否かの判定を、取得した室内温度（Ｔｉｎ）及び吐出温度（Ｔｄ）に基づいて行う。制御部５０は、室内温度に基づいて、第２吐出閾値温度を導出する。第２吐出閾値温度の導出は、例えば、室内温度に、圧縮機２１の機種特性等から決定される第２所定温度（Ｔｕｐ）を加算して行う。
【００４７】
制御部５０は、導出した第２吐出閾値温度と、吐出温度とを比較し、吐出温度が第２吐出閾値温度以下の場合は、圧縮機２１の回転数の最小変化率を上昇させる。従って、同一の運転条件下において、吐出温度が第２吐出閾値温度以下の場合の圧縮機２１の回転数の最小変化率は、吐出温度が第２吐出閾値温度よりも大きい場合の圧縮機２１の回転数の最小変化率より、高くなるようにしてある。吐出温度が第２吐出閾値温度以下の場合（吐出温度≦第２吐出閾値温度）、制御部５０は、圧縮機２１内の冷媒の湿り度が高いと判定し、圧縮機２１の回転数の最小変化率を上昇する。従って、液圧縮に対応するための必要な回転トルクを発揮させ、脱調の発生を防止することができる。圧縮機の最小回転数の制御と同様に、この判定を吐出温度から室内温度を減算した差異温度と、第２所定温度とを比較することによって行ってもよい。
【００４８】
従って、冷媒の状態によって温度分布に偏りが発生する室内熱交換器３１の温度の影響を受けることなく、圧縮機２１の回転数の最大変化率又は最小変化率の制御を適切に行うことができる。
【００４９】
圧縮機２１の最大回転数及び最小回転数の制御と同様に、室内温度の数値夫々に対応して、第１吐出閾値温度及び第２吐出閾値温度の数値夫々を決定し、例えばテーブル表に登録し、記憶部５１に記憶してもよい。又は、吐出温度及び室内温度の夫々の数値の組合せからなるマトリックス表において、個々の組合せにおける圧縮機２１の回転数の最大変化率の低下又は最小変化率の上昇の要否を登録し、記憶部５１に記憶してあってもよい。
【００５０】
制御部５０は、室内温度に基づいて第１吐出閾値温度及び第２吐出閾値温度を導出し、圧縮機２１の最大回転数、最小回転数、回転数の最大変化率及び最小変化率の上昇又は低下させる上述の制御を任意に組み合わせて行ってもよい。又は、制御部は５０、吐出温度から室内温度を減算した差異温度を求め、当該差異温度と、第１所定温度又は第２所定温度との大小関係に基づき、圧縮機２１の最大回転数、最小回転数、回転数の最大変化率及び最小変化率の上昇又は低下させる上述の制御を任意に組み合わせて行ってもよい。制御部５０は、外気温度検出部が検出した外気温度を取得し、外気温度が所定値以下の場合、圧縮機２１の最大回転数、最小回転数、回転数の最大変化率及び最小変化率の上昇又は低下させる制御を行ってもよい。
【００５１】
第１吐出閾値温度とは異なる第３吐出閾値温度（Ｔｄｏｗｎ’）が設定してあり、制御部５０は、吐出温度が第３吐出閾値温度以下の場合（吐出温度≦第３吐出閾値温度）、圧縮機２１の最大回転数を低下してもよい。室内温度に関わらず、液圧縮による負荷から圧縮機２１を保護するための第３吐出閾値温度を設定することにより、圧縮機２１の運転の信頼性を担保させることができる。第３吐出閾値温度は、第１所定温度よりも大きい、すなわち高い温度であることが好ましい。
【００５２】
第２吐出閾値温度とは異なる第４吐出閾値温度（Ｔｕｐ’）が設定してあり、制御部５０は、吐出温度が第４吐出閾値温度以下の場合（吐出温度≦第４吐出閾値温度）、圧縮機２１の最小回転数を上昇してもよい。室内温度に関わらず、液圧縮に対応する回転トルクを発揮するための第４吐出閾値温度を設定することにより、圧縮機２１の運転の信頼性を担保させることができる。第４吐出閾値温度は、第２所定温度よりも小さい、すなわち低い温度であり、最小回転数は、第２吐出閾値温度以下による最小回転数よりも第４吐出閾値温度以下による最小回転数の方が高い方が、好ましい。
【００５３】
制御部５０による圧縮機２１の回転数の制御に関する処理の流れについて、以下のとおりフローチャートを用いて説明する。制御部５０は、空調機１の運転を開始の際、又は運転中において、常時的に以下の処理を実行する。図５は、実施形態１（最大回転数）に係る処理手順を示すフローチャートである。実施形態１の制御部５０は、第１吐出閾値温度を導出し、圧縮機２１の最大回転数の制御を行う。
【００５４】
制御部５０は、所定の低回転数で圧縮機２１を運転する（Ｓ１１）。所定の低回転数とは、圧縮機２１の運転を開始するにあたって、潤滑油の状態を安定化させ、圧縮機２１に過度な負荷を与えないための保護制御を行うための回転数である。制御部５０は、所定時間が経過したか否かを判定する（Ｓ１２）。所定時間が経過していない場合（Ｓ１２：ＮＯ）、Ｓ１１の処理に戻るループ処理を行う。従って、圧縮機２１の運転開始時に、所定の低回転数で圧縮機２１を運転することによって、圧縮機２１に過度な負荷を与えることを確実に抑制することができる。
【００５５】
所定時間が経過した場合（Ｓ１２：ＹＥＳ）、制御部５０は、吐出温度検出部が検出した吐出温度（Ｔｄ）を取得する（Ｓ１３）。制御部５０は、室内温度検出部が検出した室内温度（Ｔｉｎ）を取得する（Ｓ１４）。室内温度の取得は圧縮機運転前に実施してもよい。圧縮機運転前に実施する事で安定した温度を取得する事が可能である。
【００５６】
制御部５０は、取得した室内温度（Ｔｉｎ）に基づいて、第１吐出閾値温度を導出する。制御部５０は、取得した吐出温度が導出した第１吐出閾値温度以下（吐出温度≦第１吐出閾値温度）であるか否かの判定を行う（Ｓ１５）。第１吐出閾値温度の導出は、例えば、室内温度（Ｔｉｎ）に、圧縮機２１の機種特性等から決定される第１所定温度（Ｔｄｏｗｎ）を加算（Ｔｄｏｗｎ＋Ｔｉｎ）して行う。Ｓ１５の判定は、吐出温度（Ｔｄ）から室内温度（Ｔｉｎ）を減算した差異温度と、第１所定温度（Ｔｄｏｗｎ）とを比較することによって行ってもよい。すなわち、制御部５０は、この差異温度が、第１所定温度以下（吐出温度−室内温度≦第１所定温度）であるか否かの判定を行ってもよい。
【００５７】
吐出温度が導出した第１吐出閾値温度以下の場合（Ｓ１５：ＹＥＳ）、すなわち差異温度が第１所定温度以下の場合、制御部５０は、運転条件によって予め定められている最大回転数よりも低くなるように、圧縮機２１の最大回転数を低下する（Ｓ１６）。制御部５０は、低下させた最大回転数を上限として、圧縮機２１の回転数の制御を、空調負荷に応じて行う（Ｓ１７）。従って、冷媒の状態によって温度分布に偏りが発生する室内熱交換器３１の温度の影響を受けることなく、吐出温度と、室内温度に基づいて導出した第１吐出閾値温度とを比較することによって、圧縮機２１の最大回転数の制御を適切に行うことができる。
【００５８】
吐出温度が導出した第１吐出閾値温度よりも大きい場合（Ｓ１５：ＮＯ）、すなわち差異温度が第１所定温度よりも大きい場合、制御部５０は、運転条件によって予め定められている最大回転数を上限として、圧縮機２１の回転数の制御を、空調負荷に応じて行う（Ｓ１５１）。
【００５９】
制御部５０は、圧縮機２１の回転数制御（Ｓ１７又はＳ１５１）を実施し、処理を終了する。又は、制御部５０は、Ｓ１３の処理を再度実行すべく、ループ処理を行ってもよい。なお、制御部５０は、Ｓ１１及びＳ１２の処理を行うことなく、Ｓ１３の処理から実行するようにしてあってもよい。
【００６０】
（実施形態２）
図６は、実施形態２（最小回転数）に係る処理手順を示すフローチャートである。実施形態２の制御部５０は、第２吐出閾値温度を導出し、圧縮機２１の最小回転数の制御を行う。制御部５０は、実施形態１のＳ１１，Ｓ１２，Ｓ１３及びＳ１４の処理と同様に、Ｓ２１，Ｓ２２，Ｓ２３及びＳ２４の処理を行う。
【００６１】
制御部５０は、取得した室内温度（Ｔｉｎ）に基づいて、第２吐出閾値温度を導出する、制御部５０は、取得した吐出温度が導出した第２吐出閾値温度以下（吐出温度≦第２吐出閾値温度）であるか否かの判定を行う（Ｓ２５）。第２吐出閾値温度の導出は、例えば、室内温度（Ｔｉｎ）に、圧縮機２１の機種特性等から決定される第２所定温度（Ｔｕｐ）を加算（Ｔｕｐ＋Ｔｉｎ）して行う。Ｓ１５の判定は、吐出温度（Ｔｄ）から室内温度（Ｔｉｎ）を減算した差異温度と、第２所定温度（Ｔｕｐ）とを比較することによって行ってもよい。すなわち、制御部５０は、この差異温度が、第２所定温度以下（吐出温度−室内温度≦第２所定温度）であるか否かの判定を行ってもよい。
【００６２】
吐出温度が導出した第２吐出閾値温度以下の場合（Ｓ２５：ＹＥＳ）、すなわち差異温度が第２所定温度以下の場合、制御部５０は、運転条件によって予め定められている最小回転数よりも高くなるように、圧縮機２１の最小回転数を上昇する（Ｓ２６）。制御部５０は、上昇させた最小回転数を下限として、圧縮機２１の回転数の制御を、空調負荷に応じて行う（Ｓ２７）。従って、冷媒の状態によって温度分布に偏りが発生する室内熱交換器３１の温度の影響を受けることなく、吐出温度と、室内温度に基づいて導出した第２吐出閾値温度とを比較することによって、圧縮機２１の最小回転数の制御を適切に行うことができる。
【００６３】
吐出温度が導出した第２吐出閾値温度よりも大きい場合（Ｓ２５：ＮＯ）、すなわち差異温度が第２所定温度よりも大きい場合、制御部５０は、運転条件によって予め定められている最小回転数を下限として、圧縮機２１の回転数の制御を、空調負荷に応じて行う（Ｓ２５１）。
【００６４】
制御部５０は、圧縮機２１の回転数制御（Ｓ２７又はＳ２５１）を実施し、処理を終了する。又は、制御部５０は、Ｓ２３の処理を再度実行すべく、ループ処理を行ってもよい。なお、制御部５０は、Ｓ２１及びＳ２２の処理を行うことなく、Ｓ２３の処理から実行するようにしてあってもよい。
【００６５】
（実施形態３）
図７は、実施形態３（外気温度）に係る処理手順を示すフローチャートである。実施形態３の制御部５０は、外気温度が所定値以下の場合、第１吐出閾値温度及び第２吐出閾値温度を導出し、圧縮機２１の最大回転数及び最小回転数の制御を行う。制御部５０は、実施形態１のＳ１１及びＳ１２の処理と同様に、Ｓ３１及びＳ３２の処理を行う。
【００６６】
制御部５０は、外気温度検出部が検出した外気温度を取得する（Ｓ３２）。制御部５０は、取得した外気温度が、所定値以下であるか否かの判定を行う（Ｓ３３）。この所定値とは、圧縮機２１内にて冷媒が液化する傾向にある温度であり、例えば、冷媒がＲ３２である場合、所定値は０℃である。外気温度が所定値よりも大きい場合（Ｓ３３：ＮＯ）、制御部５０は、Ｓ３３の処理を再度実行すべく、ループ処理を行う。
【００６７】
外気温度が所定値よりも大きい場合（Ｓ３３：ＹＥＳ）、制御部５０は、実施形態１の処理（Ｓ１３，Ｓ１４）と同様に、吐出温度及び室内温度を取得する（Ｓ３４，Ｓ３５）。制御部５０は、実施形態１の処理Ｓ１５と同様に、吐出温度が導出した第１吐出閾値温度以下、すなわち差異温度が第１所定温度以下であるか否かの判定を行う（Ｓ３６）。
【００６８】
吐出温度が導出した第１吐出閾値温度以下である場合（Ｓ３６：ＹＥＳ）、制御部５０は、実施形態２の処理（Ｓ２５）と同様に、吐出温度が導出した第２吐出閾値温度以下、すなわち差異温度が第２所定温度以下であるか否かの判定を行う（Ｓ３７）。
【００６９】
吐出温度が導出した第２吐出閾値温度以下である場合（Ｓ３７：ＹＥＳ）、制御部５０は、実施形態１の処理（Ｓ１６）と同様に、圧縮機２１の最大回転数を低下する（Ｓ３８）。制御部５０は、実施形態２の処理（Ｓ２６）と同様に、圧縮機２１の最小回転数を上昇する（Ｓ３９）。制御部５０は、低下させた最大回転数を上限とし、上昇させた最小回転数を下限として、圧縮機２１の回転数の制御を、空調負荷に応じて行う（Ｓ４０）。
【００７０】
吐出温度が導出した第２吐出閾値温度よりも大きい場合（Ｓ３７：ＮＯ）、制御部５０は、実施形態１の処理（Ｓ１６）と同様に、圧縮機２１の最大回転数を低下する（Ｓ３７１）。制御部５０は、低下させた最大回転数を上限とし、予め定めてある最小回転数を下限として、圧縮機２１の回転数の制御を、空調負荷に応じて行う（Ｓ３７２）。
【００７１】
吐出温度が導出した第１吐出閾値温度以下である場合（Ｓ３６：ＮＯ）、制御部５０は、実施形態２の処理（Ｓ２５）と同様に、吐出温度が導出した第２吐出閾値温度以下、すなわち差異温度が第２所定温度以下であるか否かの判定を行う（Ｓ３６１）。
【００７２】
吐出温度が導出した第２吐出閾値温度以下である場合（Ｓ３６１：ＹＥＳ）、制御部５０は、実施形態２の処理（Ｓ２６）と同様に、圧縮機２１の最小回転数を上昇する（Ｓ３６２）。制御部５０は、上昇させた最小回転数を下限として、圧縮機２１の回転数の制御を、空調負荷に応じて行う（Ｓ３６３）。
【００７３】
吐出温度が導出した第２吐出閾値温度よりも大きい場合（Ｓ３６１：ＮＯ）、制御部５０は、運転条件によって、予め定められている最大回転数を上限とし、予め定められている最小回転数を下限として、圧縮機２１の回転数の制御を、空調負荷に応じて行う（Ｓ５００）。
【００７４】
なお、制御部５０は、Ｓ３１及びＳ３２の処理を行うことなく、Ｓ３３の処理から実行するようにしてあってもよい。制御部５０は、圧縮機２１の回転数制御（Ｓ４０，Ｓ３７２，Ｓ３６３又はＳ５００）を実施し、処理を終了する。又は、制御部５０は、Ｓ３３の処理を再度実行すべく、ループ処理を行ってもよい。制御部５０は、外気温度が所定値以下である場合、圧縮機２１の最大回転数又は最小回転数の制御を行うことによって、空調機１の能力が不必要に抑制されることを低減することができる。
【００７５】
（実施形態４）
図８は、実施形態４（最大変化率）に係る処理手順を示すフローチャートである。実施形態４の制御部５０は、第１吐出閾値温度を導出し、圧縮機２１の回転数の最大変化率の制御を行う。制御部５０は、実施形態１のＳ１１，Ｓ１２，Ｓ１３，Ｓ１４及びＳ１５の処理と同様に、Ｓ４１，Ｓ４２，Ｓ４３，Ｓ４４及びＳ４５の処理を行う。
【００７６】
吐出温度が導出した第１吐出閾値温度以下の場合（Ｓ４５：ＹＥＳ）、すなわち差異温度が第１所定温度以下である場合、制御部５０は、圧縮機２１の回転数の最大変化率を低下する（Ｓ４６）。制御部５０は、実施形態１の処理（Ｓ１６）と同様に、圧縮機２１の最大回転数を低下する（Ｓ４７）。制御部５０は、低下させた回転数の最大変化率及び低下させた最大回転数を、夫々の上限とし、圧縮機２１の回転数の制御を、空調負荷に応じて行う（Ｓ４８）。従って、冷媒の状態によって温度分布に偏りが発生する室内熱交換器３１の温度の影響を受けることなく、吐出温度と、室内温度に基づいて導出した第１吐出閾値温度とを比較することによって、圧縮機２１の回転数の最大変化率の制御を適切に行うことができる。
【００７７】
吐出温度が導出した第１吐出閾値温度よりも大きい場合（Ｓ４５：ＮＯ）、すなわち差異温度が第１所定温度よりも大きい場合、制御部５０は、運転条件によって予め定められている最大回転数及び回転数の最大変化率を上限として、圧縮機２１の回転数の制御を、空調負荷に応じて行う（Ｓ４５１）。
【００７８】
制御部５０は、圧縮機２１の回転数制御（Ｓ４８又はＳ４５１）を実施し、処理を終了する。又は、制御部５０は、Ｓ４３の処理を再度実行すべく、ループ処理を行ってもよい。なお、制御部５０は、Ｓ４１及びＳ４２の処理を行うことなく、Ｓ４３の処理から実行するようにしてあってもよい。
【００７９】
（実施形態５）
図９は、実施形態５（最小変化率）に係る処理手順を示すフローチャートである。実施形態５の制御部５０は、第２吐出閾値温度を導出し、圧縮機２１の回転数の最小変化率の制御を行う。制御部５０は、実施形態２のＳ２１，Ｓ２２，Ｓ２３，Ｓ２４及びＳ２５の処理と同様に、Ｓ５１，Ｓ５２，Ｓ５３，Ｓ５４及びＳ５５の処理を行う。
【００８０】
吐出温度が導出した第２吐出閾値温度以下の場合（Ｓ５５：ＹＥＳ）、すなわち差異温度が第２所定温度以下である場合、制御部５０は、圧縮機２１の回転数の最小変化率を上昇する（Ｓ４６）。制御部５０は、実施形態２の処理（Ｓ２６）と同様に、圧縮機２１の最小回転数を上昇する（Ｓ５７）。制御部５０は、上昇させた回転数の最小変化率及び上昇させた最小回転数を、夫々の下限とし、圧縮機２１の回転数の制御を、空調負荷に応じて行う（Ｓ５８）。従って、冷媒の状態によって温度分布に偏りが発生する室内熱交換器３１の温度の影響を受けることなく、吐出温度と、室内温度に基づいて導出した第２吐出閾値温度とを比較することによって、圧縮機２１の回転数の最小変化率の制御を適切に行うことができる。
【００８１】
吐出温度が導出した第２吐出閾値温度よりも大きい場合（Ｓ５５：ＮＯ）、すなわち差異温度が第２所定温度よりも大きい場合、制御部５０は、運転条件によって予め定められている最小回転数及び回転数の最小変化率を下限として、圧縮機２１の回転数の制御を、空調負荷に応じて行う（Ｓ５５１）。
【００８２】
制御部５０は、圧縮機２１の回転数制御（Ｓ５８又はＳ５５１）を実施し、処理を終了する。又は、制御部５０は、Ｓ５３の処理を再度実行すべく、ループ処理を行ってもよい。なお、制御部５０は、Ｓ５１及びＳ５２の処理を行うことなく、Ｓ５３の処理から実行するようにしてあってもよい。
【００８３】
本発明に係る空調機１は、圧縮機２１と、前記圧縮機２１の回転数を制御する制御部５０と、前記圧縮機２１の吐出温度を検出する吐出温度検出部と、被空調空間の室内温度を検出する室内温度検出部とを備えた空調機１であって、前記制御部５０は、前記室内温度検出部が検出した前記室内温度、及び前記吐出温度検出部が検出した前記吐出温度に基づいて、前記圧縮機２１の回転数を制御するための所定の設定値を変更することを特徴とする。
【００８４】
本発明によれば、室内温度及び吐出温度に基づいて圧縮機２１の回転数を制御するための所定の設定値を変更することによって、室内熱交換器３１内の冷媒の状態に影響をうけることなく、圧縮機２１の回転数制御を適切に行うことができる。
【００８５】
本発明に係る空調機１は、前記設定値は、前記圧縮機２１の最大回転数を含み、前記制御部５０は、前記室内温度検出部が検出した前記室内温度に基づいて、第１吐出閾値温度を導出し、前記吐出温度検出部が検出した前記吐出温度が、前記第１吐出閾値温度以下の場合、前記圧縮機２１の最大回転数を低下するようにしてもよい。
【００８６】
本発明によれば、室内温度に基づいて、第１吐出閾値温度を導出し、第１吐出閾値温度以下の場合、圧縮機２１の最大回転数を低下させる。吐出温度が第１吐出閾値温度以下の場合の最大回転数は、第１吐出閾値温度よりも大きい場合の最大回転数よりも、小さくなる。従って、液圧縮時の圧縮機２１の負荷を低減させることができる。室内熱交換器３１内の冷媒の状態に影響をうけることなく、圧縮機２１の回転数制御を適切に行うことができる。
【００８７】
本発明に係る空調機１は、前記設定値は、前記圧縮機２１の最小回転数を含み、前記制御部５０は、前記室内温度検出部が検出した前記室内温度に基づいて、第２吐出閾値温度を導出し、前記吐出温度検出部が検出した前記吐出温度が、前記第２吐出閾値温度以下の場合、前記圧縮機２１の最小回転数を上昇するようにしてもよい。
【００８８】
本発明によれば、室内温度に基づいて、第２吐出閾値温度を導出し、第２吐出閾値温度以下の場合、圧縮機２１の最小回転数を上昇させる。吐出温度が第２吐出閾値温度以下の場合の最小回転数は、第２吐出閾値温度よりも大きい場合の最大回転数よりも、大きくなる。従って、液圧縮に対応する回転トルクを発揮させることができる。室内熱交換器３１内の冷媒の状態に影響をうけることなく、圧縮機２１の回転数制御を適切に行うことができる。
【００８９】
本発明に係る空調機１は、前記設定値は、前記圧縮機２１の回転数の最大変化率を含み、前記制御部５０は、前記室内温度検出部が検出した前記室内温度に基づいて、第１吐出閾値温度を導出し、前記吐出温度検出部が検出した前記吐出温度が、前記第１吐出閾値温度以下の場合、前記圧縮機２１の回転数の最大変化率を低下するようにしてもよい。
【００９０】
本発明によれば、室内温度に基づいて、第１吐出閾値温度を導出し、第１吐出閾値温度以下の場合、圧縮機２１の回転数の最大変化率を低下する。吐出温度が第１吐出閾値温度以下の場合の回転数の最大変化率は、第１吐出閾値温度よりも大きい場合の最大変化率よりも、小さくなる。従って、液圧縮時、圧縮機２１の負荷の急激な変動を抑制させることができる。室内熱交換器３１内の冷媒の状態に影響をうけることなく、圧縮機２１の回転数制御を適切に行うことができる。
【００９１】
本発明に係る空調機１は、前記設定値は、前記圧縮機２１の回転数の最小変化率を含み、前記制御部５０は、前記室内温度検出部が検出した前記室内温度に基づいて、第２吐出閾値温度を導出し、前記吐出温度検出部が検出した前記吐出温度が、前記第２吐出閾値温度以下の場合、前記圧縮機２１の回転数の最小変化率を上昇するようにしてもよい。
【００９２】
本発明によれば、室内温度に基づいて、第２吐出閾値温度を導出し、第２吐出閾値温度以下の場合、圧縮機２１の回転数の最小変化率を上昇する。吐出温度が第２吐出閾値温度以下の場合の回転数の最小変化率は、第２吐出閾値温度よりも大きい場合の最小変化率よりも、大きくなる。従って、液圧縮に対応する回転トルクを適切に発揮させることができる。室内熱交換器３１内の冷媒の状態に影響をうけることなく、圧縮機２１の回転数制御を適切に行うことができる。
【００９３】
本発明に係る空調機１は、外気温度を検出する外気温度検出部を備え、前記制御部５０は、前記外気温度検出部が検出した前記外気温度が、所定値以下の場合、前記圧縮機２１の回転数を制御するための前記所定の設定値を変更するようにしてもよい。
【００９４】
本発明によれば、外気温度検出部が検出した前記外気温度が、所定値以下の場合、圧縮機２１の回転数を制御するための所定の設定値を変更することによって、圧縮機２１の設定値が不必要に変更されることを抑制し、適切に空調機１の運転を行うことができる。
【００９５】
本発明に係る空調機１は、前記圧縮機２１が圧縮する冷媒は、Ｒ３２又はＲ３２を６５重量％以上含む混合冷媒のいずれかであるとしてもよい。
【００９６】
本発明によれば、冷媒をＲ３２又はＲ３２を６５重量％以上含む混合冷媒とすることによって、低ＧＷＰに寄与する空調機１を提供することができる。Ｒ３２は、Ｒ４１０Ａと比較して、吐出温度が、約２０℃、高くなる。また、凝縮過程における２相状態での比エンタルピーの差異、すなわち飽和状態における渇き度１と渇き度０との比エンタルピーの差異において、Ｒ３２の比エンタルピーの差異は、Ｒ４１０Ａの比エンタルピーの差異の略１．３倍となる。すなわち、Ｒ３２は、Ｒ４１０Ａと比較して、圧縮機２１から吐出した冷媒の凝縮器（暖房時の室内熱交換器３１）における温度変化が大きく、二相状態も長くなる。従って、室内熱交換器３１における温度の偏りが、Ｒ３２は、Ｒ４１０Ａよりも大きくなる傾向があるところ、室内温度に基づき、圧縮機２１の回転数の制御を行うことによって、室内熱交換器３１の冷媒の状態に関わらず、圧縮機２１の回転数を適切に制御することができる。
【００９７】
今回開示された実施形態はすべての点で例示であって、制限的なものではないと考えられるべきである。本発明の範囲は、上述した意味ではなく、特許請求の範囲によって示され、特許請求の範囲と均等の意味及び範囲内でのすべての変更が含まれることが意図される。
【符号の説明】
【００９８】
１  空調機
１０  冷媒配管
２  室外機
２１  圧縮機
２１１  吸入温度センサ
２１２  吐出温度センサ
２２  アキュムレータ
２３  四路切換弁
２４  室外熱交換器
２４１  外気温度センサ
２５  膨張弁
２６  室外ファン
２７  室外制御基板
３  室内機
３１  室内熱交換器
３１１  室内熱交換器温度センサ
３１２  伝熱管
３１３  分岐管
３１４  フィン
３２  吸込空気温度センサ
３３  吸込空気湿度センサ
３４  室内ファン
３５  風向板
３６  室内制御基板
４  リモコン
４１  リモコン内基板
４２  リモコン内温度センサ
５０  制御部
５１  記憶部
５１Ｐ  プログラム
【図１】
2019049365.tif 000003
【図２】
2019049365.tif 000004
【図３】
2019049365.tif 000005
【図４】
2019049365.tif 000006
【図５】
2019049365.tif 000007
【図６】
2019049365.tif 000008
【図７】
2019049365.tif 000009
【図８】
2019049365.tif 000010
【図９】
2019049365.tif 000011